(57)【特許請求の範囲】
【請求項１】
作業用の上面を有する天板と、
前記天板に設けられ、前記天板の上方に配置された電気機器を支持する支持部と、
前記天板の上面から下方に凹むように前記天板に設けられ、前記支持部の外周を環状に囲む溝部と、
を備え、
前記溝部の外周縁に沿って環状に配置され、前記天板の上面よりも上方に突出する凸部をさらに備える
什器。
【請求項２】
作業用の上面を有する天板と、
前記天板に設けられ、前記天板の上方に配置された電気機器を支持する支持部と、
前記天板の上面から下方に凹むように前記天板に設けられ、前記支持部の外周を環状に囲む溝部と、
を備え、
前記溝部の底部に開口し、前記底部から排水可能な排水部をさらに備える
什器。
【請求項３】
作業用の上面を有する天板と、
前記天板に設けられ、前記天板の上方に配置された電気機器を支持する支持部と、
前記天板の上面から下方に凹むように前記天板に設けられ、前記支持部の外周を環状に囲む溝部と、
を備え、
前記支持部の上面は、前記天板の上面と同一平面に位置している
什器。
【発明の詳細な説明】
【技術分野】
【０００１】  本発明は、什器に関する。
【背景技術】
【０００２】  オフィスや公共施設、家庭などの室内空間において、使用者に作業用の平面を提供するために天板が設けられた什器が広く使用されている。このような什器では、天板の上面が作業面として使用されている。このような什器には、例えば作業面を照らすための照明器具などの電気機器が設けられている場合がある。例えば、特許文献１には、天板と、取付装置を介して天板に取り付けられた照明器具と、を備える机が開示されている。【０００３】  ところで、使用者が天板の両側から作業面で作業する場合など、什器の使用態様によっては、天板の中央付近に電気機器が設けられていたほうが什器としての使い勝手が良い場合がある。この場合、作業面の使いやすさや什器としての体裁を考慮すると、電源ケーブルなどの電気機器に接続されたケーブルは、天板の上面を這わせるよりも、天板において電気機器を支持する支持部から天板内部を通すほうが好ましい。または、この支持部にコネクタを設けて、電気機器に接続されたケーブルをこのコネクタに接続してもよい。
【先行技術文献】
【特許文献】
【０００４】
【特許文献１】特許第３２８７４１０号公報
【発明の概要】
【発明が解決しようとする課題】
【０００５】  しかしながら、上述した構成では、作業面上で誤って飲料などの液体をこぼしてしまった場合に、電気機器を支持する支持部において電気機器との接続部分の隙間に液体が流入して電気機器に接続されたケーブルを濡らしてしまったり、この支持部に設けられたコネクタを濡らしてしまったりする可能性がある。【０００６】  本発明は、上記の事情を鑑みてなされたものであり、作業面上で飲料などの液体をこぼしてしまった場合に、天板において電気機器を支持する支持部が濡れる可能性を低減できる什器を提供することを目的とする。
【課題を解決するための手段】
【０００７】
本発明の一態様によれば、什器は、作業用の上面を有する天板と、前記天板に設けられ、前記天板の上方に配置された電気機器を支持する支持部と、前記天板の上面から下方に凹むように前記天板に設けられ、前記支持部の外周を環状に囲む溝部と、を備え、前記溝部の外周縁に沿って環状に配置され、前記天板の上面よりも上方に突出する凸部をさらに備える。
【０００８】
このような什器によれば、電気機器を支持する支持部の外周を環状に囲む溝部が天板の上面から下方に凹むように天板に設けられているので、天板の上面で液体をこぼしてしまった場合には、支持部に到達する前にこの溝部に液体が流入する。このため、溝部によって支持部への液体の流入を妨げることができ、支持部が濡れる可能性を低減することができる。
また、天板の上面よりも上方に突出する凸部が溝部の外周縁に沿って環状に配置されているので、天板の上面で液体をこぼしてしまった場合に、凸部によって液体が溝部へ流入することを防止することができる。よって、支持部が濡れる可能性をより低減することができる。
【００１５】
本発明の一態様によれば、什器は、作業用の上面を有する天板と、前記天板に設けられ、前記天板の上方に配置された電気機器を支持する支持部と、前記天板の上面から下方に凹むように前記天板に設けられ、前記支持部の外周を環状に囲む溝部と、を備え、前記溝部の底部に開口し、前記底部から排水可能な排水部をさらに備えてもよい。
【００１６】  このような什器によれば、溝部に流入して底部にたまった液体を排水部から排水することができるので、溝部の底部にたまった液体により支持部が濡れる可能性を低減することができる。【００１９】
本発明の一態様によれば、什器は、作業用の上面を有する天板と、前記天板に設けられ、前記天板の上方に配置された電気機器を支持する支持部と、前記天板の上面から下方に凹むように前記天板に設けられ、前記支持部の外周を環状に囲む溝部と、を備え、前記支持部の上面は、前記天板の上面と同一平面に位置していてもよい。
【００２０】  このような什器によれば、支持部の上面は天板の上面と同一平面に位置しているので、天板の上面に加えて支持部の上面も作業面として使用することができ、広い作業面を確保することできる。
【発明の効果】
【００２３】  上記の什器によれば、作業面上で液体をこぼしてしまった場合に、天板において電気機器を支持する支持部が濡れる可能性を低減することができる。
【図面の簡単な説明】
【００２４】
【図１】本発明の第一実施形態に係る什器を示す斜視図である。
【図２】前記什器の天板を示す拡大図である。
【図３】前記什器の照明器具の正面図である。
【図４】図２のＩＶ−ＩＶ線における断面図である。
【図５】本実施形態に係る電気機器の例を示す図である。
【図６】本発明の第二実施形態に係る什器を示す図である。
【発明を実施するための形態】
【００２５】  （第一実施形態）
以下、本発明の第一実施形態について、図１から図４を参照して説明する。
【００２６】  図１は、本実施形態に係る什器１を示す斜視図である。図２は、什器１の天板２０を示す拡大図である。図３は、什器１の照明器具１００の正面図である。図４は、２のＩＶ−ＩＶ線における断面図である。なお、図２では、説明を容易にするため、照明器具１００を什器１から上方に離間させた状態を示している。
【００２７】  図１に示すように、什器１は、天板２０と、支持部３０と、溝部４０と、を備える。
【００２８】  天板２０は、作業用の上面２０ｔを有する。また、天板２０は、一対の脚部材１０、１０に支持されている。
【００２９】  一対の脚部材１０、１０は、床面Ｆ上に、天板２０の長辺方向（以下、この方向を幅方向Ｄｘと適宜称する。）に間隔を空けて配置され、天板２０の幅方向Ｄｘの両端部にそれぞれ接続されている。
【００３０】  各脚部材１０は、一対の支柱１１、１１と、下部連結部材１２と、上部連結部材１３と、を有する。一対の支柱１１、１１は、上下方向Ｄｚに延びて設けられ、天板２０の短辺方向（以下、この方向を前後方向Ｄｙと適宜称する。）に間隔を空けて配置されている。一対の支柱１１、１１の下面には、一対の支柱１１、１１の高さおよびレベルの調整を行うアジャスター１１ａ、１１ａがそれぞれ設けられている。下部連結部材１２は、前後方向Ｄｙに延びて設けられ、一対の支柱１１、１１の下端部１１ｂ、１１ｂを互いに連結している。上部連結部材１３は、前後方向Ｄｙに延びて設けられ、一対の支柱１１、１１の上端部１１ｔ、１１ｔを互いに連結している。天板２０は、一対の支柱１１、１１の上端部１１ｔ、１１ｔおよび上部連結部材１３に支持されている。
【００３１】  図１、図２、および図４に示すように、支持部３０は、天板２０に設けられ、天板２０の上方に配置された照明器具（電気機器）１００を支持している。本実施形態では、支持部３０は、天板２０の前後方向Ｄｙの中央部分に、幅方向Ｄｘに間隔を空けて二つ設けられている。また、支持部３０は、上面３０ｔが幅方向Ｄｘおよび前後方向Ｄｙに沿って延びる辺によって形成される略正方形に形成された四角錐台状に形成されている。
【００３２】  溝部４０は、天板２０の上面２０ｔから下方に凹むように天板２０に設けられている。また、溝部４０は、支持部３０の外周を環状に囲んでいる。本実施形態では、溝部４０は、支持部３０の形状に合わせて、支持部３０の外周を角環状に囲んでいる。
【００３３】  支持部３０は、照明器具１００を支持する支持体１０２が設けられた上面３０ｔと、上面３０ｔから溝部４０に向かって延びる側面３０ｓと、を有する。本実施形態では、支持部３０は、天板２０に取り付けられた支持部本体３１と、支持部本体３１の上面３１ｔから下方に凹むように上面３１ｔに形成された嵌合溝３２に嵌合する支持板３３と、を有する。支持体１０２は、支持板３３の中央部分を貫通して、支持板３３の上面３３ｔに対して直交するように支持板３３に固定されている。支持部３０の上面３０ｔは、支持部本体３１の上面３１ｔと、支持板３３の上面３３ｔと、により構成されている。また、上面３０ｔは、天板２０の上面２０ｔと同一平面に位置している。
【００３４】  また、本実施形態では、支持部３０の側面３０ｓは４つ形成されている。上面３０ｔの幅方向Ｄｘの両端部３０ｔｘから延びる側面３０ｓｘは、上面３０ｔから下方に向かうに従って幅方向Ｄｘの外側に向かうように傾斜している。すなわち、側面３０ｓｘは、幅方向Ｄｘの外側であって斜め上方を向いている。また、上面３０ｔの前後方向Ｄｙの両端部３０ｔｙから延びる側面３０ｓｙは、上面３０ｔから下方に向かうに従って前後方向Ｄｙの外側に向かうように傾斜している。すなわち、側面３０ｓｙは、前後方向Ｄｙの外側であって斜め上方を向いている。
【００３５】  支持部３０の側面３０ｓには、電源コンセント３４が設けられている。側面３０ｓのうち、各側面３０ｓｘには、二つの電源コンセント３４が前後方向Ｄｙに間隔を空けて設けられている。また、各側面３０ｓｙには、二つの電源コンセント３４が幅方向Ｄｘに間隔を空けて設けられている。
【００３６】  照明器具１００は、天板２０の上面２０ｔを照らすように構成されている。図１から図４に示すように、照明器具１００は、照明部１０１と、支持体１０２と、を有する。照明部１０１は、発光機能を有して構成されている。支持体１０２は、上下方向Ｄｚに延びる円筒状に形成されている。照明部１０１は、支持体１０２の上端部１０２ｔに固定されている。また、上述した通り、支持体１０２の下端部１０２ｂ側には支持板３３が固定されている。支持体１０２の内部には、照明部１０１に接続された電源ケーブル（ケーブル）１０３が挿通されている。
【００３７】  支持部３０の嵌合溝３２の中央部分には、支持体１０２の下端部１０２ｂが嵌合可能な嵌合孔３５が形成されている。嵌合孔３５は、上下方向Ｄｚに延びて設けられ、支持部３０の上側と下側とを連通している。照明器具１００は、支持体１０２に固定された支持板３３が支持部３０の嵌合溝３２に嵌合するとともに、支持体１０２の下端部１０２ｂが支持部３０の嵌合孔３５に嵌合することで、支持部３０に取り付けられて支持されている。この状態では、図４に示すように、照明器具１００の照明部１０１に接続された電源ケーブル１０３は、支持部３０を介して天板２０の下方に案内されている。また、支持部本体３１の上面３１ｔおよび支持板３３の上面３３ｔにより、支持部３０の上面３０ｔが構成されている。
【００３８】  溝部４０は、溝部４０のうち最も凹んだ底部４１と、天板２０の上面２０ｔと底部４１との間に形成された側壁部４２と、を有する。本実施形態において、底部４１は、支持部３０の外周を角環状に囲むように配置されている。また、底部４１には、支持部３０の側面３０ｓが直接接続されている。側壁部４２は、底部４１から天板２０の上面２０ｔに向かって延びている。また、側壁部４２は、支持部３０の外周を囲む底部４１を角環状に囲むように配置されている。側壁部４２は、支持部３０の側面３０ｓに配置された電源コンセント３４に使用者がプラグ３６を差し込みやすいように、例えば側面３０ｓに対して略直交する平面を有して構成されている。
【００３９】  また、本実施形態では、什器１は、溝部４０の外周縁に沿って環状に配置され、天板２０の上面２０ｔよりも上方に突出する凸部５０をさらに備える。溝部４０が角環状に配置されているので、これに対応して、凸部５０も角環状に配置されている。また、凸部５０は、溝部４０の側壁部４２に連続して形成されている。
【００４０】  支持部３０の支持部本体３１、溝部４０、および凸部５０は、例えば樹脂などで一体的に形成されている。凸部５０の下側に連続して設けられた固定部５１は、天板２０の下面２０ｕにねじ５２によって固定されている。これにより、支持部３０の支持部本体３１、溝部４０、および凸部５０は、天板２０に対して固定されている。
【００４１】  本実施形態に係る什器１は、作業用の上面２０ｔを有する天板２０と、天板２０に設けられ、天板２０の上方に配置された照明器具１００を支持する支持部３０と、天板２０の上面２０ｔから下方に凹むように天板２０に設けられ、支持部３０の外周を環状に囲む溝部４０と、を備える。
【００４２】  上述した構成によれば、照明器具１００を支持する支持部３０の外周を環状に囲む溝部４０が天板２０の上面２０ｔから下方に凹むように天板２０に設けられているので、天板２０の上面２０ｔで飲料などの液体をこぼしてしまった場合には、支持部３０に到達する前に溝部４０に液体が流入する。このため、溝部４０によって支持部３０への液体の流入を妨げることができ、支持部３０が濡れる可能性を低減することができる。これによって、例えば、支持部３０を通る照明器具１００の電源ケーブル１０３や、支持部３０に設けられるコネクタなどが濡れる可能性を低減することができる。
【００４３】  また、照明器具１００に接続された電源ケーブル１０３は、支持部３０を介して天板２０の下方に案内されている。
【００４４】  上述した構成によれば、照明器具１００に接続された電源ケーブル１０３は、溝部４０に囲まれた支持部３０を介して天板２０の下方に案内されているので、天板２０の上面２０ｔで飲料などの液体をこぼしてしまった場合に、電源ケーブル１０３が濡れる可能性を低減することができる。また、電源ケーブル１０３は、天板２０の上面２０ｔを這わせることなく天板２０の下方に案内されているので、什器としての体裁を良好にすることができる。
【００４５】  また、支持部３０は、照明器具１００を支持する支持体１０２が設けられた上面３０ｔと、支持部３０の上面３０ｔから溝部４０に向かって延びる側面３０ｓと、を有する。側面３０ｓには、電源コンセント３４が設けられている。
【００４６】  上述した構成によれば、電源コンセント３４は支持部３０の側面３０ｓに設けられているので、什器としての使い勝手を良好にすることができる。また、支持部３０は溝部４０に囲まれているので、天板２０の上面２０ｔで飲料などの液体をこぼしてしまった場合に、電源コンセント３４が濡れる可能性を低減することができる。
【００４７】  また、什器１は、溝部４０の外周縁に沿って環状に配置され、天板２０の上面２０ｔよりも上方に突出する凸部５０をさらに備える。このため、天板２０の上面２０ｔで飲料などの液体をこぼしてしまった場合に、凸部５０によって液体が溝部４０へ流入することを防止することができる。よって、支持部３０が濡れる可能性をより低減することができる。
【００４８】  また、支持部３０の上面３０ｔは、天板２０の上面２０ｔと同一平面に位置している。このため、天板２０の上面２０ｔに加えて支持部３０の上面３０ｔも作業面として使用することができ、広い作業面を確保することできる。
【００４９】  また、什器１には、天板２０の上面２０ｔを照らす照明器具１００が設けられているので、什器としての使い勝手を良好にすることができる。
【００５０】  なお、本実施形態では、支持部３０の側面３０ｓに、電源コンセント３４が設けられていたが、これに限らない。支持部３０の側面３０ｓには、電源コンセント３４の代わりに、情報を供給するための情報コンセントが設けられていてもよいし、電源コンセント３４に加えて情報コンセントが設けられていてもよい。
【００５１】  また、支持部３０は、天板２０の前後方向Ｄｙの中央部分に、幅方向Ｄｘに間隔を空けて二つ設けられていたが、これに限らない。使用の態様などに応じて、支持部３０の配置や数を適宜変更することができる。
【００５２】  支持部３０は、四角錐台状に形成されていたが、これに限らない。例えば、支持部３０は、球面状の曲面を有する球欠状に形成されていてもよい。この場合には、支持部は、曲面の頂部に照明器具１００の支持体１０２が取り付けられるように構成されていればよい。
【００５３】  溝部４０は、支持部３０の外周を角環状に囲んでいたが、これに限らず、支持部３０の外周を円環状に囲んでいてもよい。なお、液体がいずれの方向から支持部３０に向かって流れたとしても液体が支持部３０に流れ込むことを妨げるために、溝部４０は支持部３０の外周を切れ目なく連続して環状に囲むことが好ましい。
【００５４】  凸部５０は、溝部４０の外周縁に沿って角環状に配置されていたが、これに限らず、円環状に配置されていてもよい。
【００５５】  支持部３０は、照明器具１００を支持していたが、これに限らない。什器１は、支持部３０が照明器具１００の代わりに他の電気機器を支持するように構成されていてもよい。例えば、図５に示す液晶モニター１１０が、支持部３０に支持されていてもよい。液晶モニター１１０は、液晶表示部１１１と、支持体１０２と、を有する。液晶表示部１１１は、支持体１０２の上端部１０２ｔに固定されている。よって、照明器具１００と同様に、液晶モニター１１０は、支持体１０２に固定された支持板３３を支持部３０の嵌合溝３２に嵌合させるとともに、支持体１０２の下端部１０２ｂを支持部３０の嵌合孔３５に嵌合させることで、支持部３０に取り付けられて支持されることができる。また、この場合に、液晶モニター１１０に接続された電源ケーブルだけでなく、通信ケーブルなどその他必要なケーブルを、支持部３０を介して天板２０の下方に案内してもよい。
【００５６】  （第二実施形態）
次に、本発明の第二実施形態について、図６を参照して説明する。
【００５７】  図６は、本実施形態に係る什器２を示す図である。なお、図６では、説明を容易にするため、照明器具１００の図示を省略している。
【００５８】  什器２は、溝部の底部から排水可能な排水部６０をさらに備える点で、第一実施形態に係る什器１と異なっている。なお、第一実施形態に係る什器１と同様の構成を有する部分については、その詳細な説明を省略する。
【００５９】  排水部６０は、溝部４０の底部４３に開口し、底部４３から排水可能に構成されている。本実施形態では、排水部６０は、支持部３０の４つの角部に隣接する底部４３の部分にそれぞれ４つ設けられている。
【００６０】  本実施形態に係る底部４３は、第一実施形態に係る底部４１と異なり、排水部６０に向かって液体が流れるように勾配が付けられている。同様に、本実施形態に係る側壁部４４は、第一実施形態に係る側壁部４２と異なり、排水部６０に向かって液体が流れるように勾配が付けられている。
【００６１】  本実施形態に係る什器２は、溝部４０の底部４３に開口し、底部４３から排水可能な排水部６０をさらに備える。このため、溝部４０に流入して底部４３にたまった液体を排水部６０から排水することができる。したがって、溝部４０の底部４３にたまった液体により支持部３０が濡れる可能性を低減することができる。
【００６２】  また、溝部４０の底部４３は、排水部６０に向かって液体が流れるように勾配がつけられている。このため、溝部４０に流入して底部４３にたまった液体は、排水部６０に向かって流れる。したがって、溝部４０の底部４３から容易に液体を排水することができる。
【００６３】  なお、本実施形態に係る什器２において、支持部３０および溝部４０の下側に、排水部６０から排水された液体を受けるための排水受け部が設けられていてもよい。これにより、排水された液体で床面Ｆ上を汚すことを防止できる。
【００６４】  以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００６５】  １、２  什器
２０  天板
２０ｔ  上面
３０  支持部
３０ｓ、３０ｓｘ、３０ｓｙ  側面
３０ｔ  上面
３４  電源コンセント
４０  溝部
４１、４３  底部
５０  凸部
６０  排水部
１００  照明器具（電気機器）
１０２  支持体
１０３  電源ケーブル（ケーブル）
１１０  液晶モニター（電気機器）
【図１】
0006735595.tif 000002
【図２】
0006735595.tif 000003
【図３】
0006735595.tif 000004
【図４】
0006735595.tif 000005
【図５】
0006735595.tif 000006
【図６】
0006735595.tif 000007